(57)【特許請求の範囲】
【請求項１】
気化器本体の吸気路と直交する上下方向の円筒部に、絞り弁を回動可能かつ昇降可能に嵌挿し、絞り弁の上端の軸部を前記円筒部を閉鎖する蓋板に貫通支持し、前記軸部の上端に結合した絞り弁レバーの一端に、遠隔操作ケーブルのインナケーブルを結合するスイベルを支持し、絞り弁レバーの他端と前記蓋板との間に燃料量を加減するカム機構を備えたロータリ絞り弁式気化器において、
前記蓋板に前記絞り弁レバーの全開位置を規制する停止面を備えかつ前記遠隔操作ケーブルを固定するための第２の柱を一体に形成し、前記第２の柱に前記停止面とは相反する側に小径部分を有する水平な段付円筒部を設け、前記段付円筒部の前記小径円筒部に金属製の段付補強筒体の小径部分を嵌合し、該段付補強筒体に前記遠隔操作ケーブルのアウタチユーブを嵌合保持する保持金具を挿入状態に螺合し、前記保持金具に前記段付補強筒体との間に前記第２の柱の壁部を挟むようにロックナットを螺合し、かつ前記ロックナットを前記段付補強筒体の小径部分の外端面に当接させたことを特徴とするロータリ絞り弁式気化器。
【請求項２】
前記停止面が前記アウタチユーブから延出するインナケーブルの引出し方向と垂直にされ、
前記絞り弁レバーの全開位置で前記スイベルが前記停止面に当るようにした、請求項１に記載のロータリ絞り弁式気化器。
【請求項３】
前記蓋板は合成樹脂から成形される、請求項１または請求項２に記載のロータリ絞り弁式気化器。
【発明の詳細な説明】
【０００１】
【発明の属する技術分野】
本発明は刈払い機などの携帯作業機に搭載される小型内燃機関の膜型気化器、特に絞り弁レバーの全開位置を規制する停止部材を、インナケーブルの引き方向と同軸に配置し、絞り弁の偏摩耗を防ぐようにしたロータリ絞り弁式気化器に関するものである。
【０００２】
【従来の技術】
従来のロータリ絞り弁式気化器では、アルミニウムから成形された気化器本体の吸気路を横切る円筒部に、合成樹脂から成形された絞り弁を回動可能かつ昇降可能に嵌挿し、円筒部を閉鎖する合成樹脂製の蓋板に鋼板製のブラケツトを重ね合せ、該ブラケツトの縁部を垂直に折り曲げてなる第１の支板に、絞り弁レバーのアイドル位置を規制する停止ボルトを螺合支持し、第２の支板に遠隔操作ケーブルのアウタチユーブを固定するための保持金具を螺合支持している。
【０００３】
しかし、上述の構成では、重量が増加し、部品点数、加工工数、組立工数などの点で製造経費の節減が難しい。また、小型の膜型気化器ではブラケツトを配置する取付空間が得がたく、鋼板製のブラケツトを設けないで、合成樹脂製の蓋板に遠隔操作ケーブルの保持金具を固定する場合は、インナケーブルを絞り弁の全開方向へ強く引いた時に、絞り弁レバーが停止部材に当り、停止部材が曲げ応力を受けて折れる恐れがある。さらに、絞り弁レバーが全開位置で停止部材に当る時、インナケーブルの引出し方向が絞り弁レバーの長手方向に対し垂直でないと、絞り弁は単純な回転力を受けるだけでなく、絞り弁が全体として引き倒されるような力を受け、気化器本体の円筒部と該円筒部に嵌挿される絞り弁との摺動部に偏摩耗が生じる。
【０００４】
【発明が解決しようとする課題】
本発明の課題は上述の問題に鑑み、絞り弁レバーの全開位置を規制する停止部材とアウタチユーブの保持部とを蓋板に一体的に構成し、インナケーブルの引き操作により絞り弁レバーが全開位置で停止部材に与える力は、アウタチユーブの保持部に与える力と釣り合うようにしたロータリ絞り弁式気化器を提供することにある。
【０００５】
【課題を解決するための手段】
上記課題を解決するために、本発明の構成は気化器本体の吸気路と直交する上下方向の円筒部に、絞り弁を回動可能かつ昇降可能に嵌挿し、絞り弁の上端の軸部を前記円筒部を閉鎖する蓋板に貫通支持し、前記軸部の上端に結合した絞り弁レバーの一端に、遠隔操作ケーブルのインナケーブルを結合するスイベルを支持し、絞り弁レバーの他端と前記蓋板との間に燃料量を加減するカム機構を備えたロータリ絞り弁式気化器において、前記蓋板に前記絞り弁レバーの全開位置を規制する停止面を備えかつ前記遠隔操作ケーブルを固定するための第２の柱を一体に形成し、前記第２の柱に前記停止面とは相反する側に小径部分を有する水平な段付円筒部を設け、前記段付円筒部の前記小径円筒部に金属製の段付補強筒体の小径部分を嵌合し、該段付補強筒体に前記遠隔操作ケーブルのアウタチユーブを嵌合保持する保持金具を挿入状態に螺合し、前記保持金具に前記段付補強筒体との間に前記第２の柱の壁部を挟むようにロックナットを螺合し、かつ前記ロックナットを前記段付補強筒体の小径部分の外端面に当接させたことを特徴とする。
【０００６】
【発明の実施の形態】
本発明では気化器本体の絞り弁を回動可能かつ昇降可能に嵌挿する弁室ないし円筒部の上端を閉鎖する蓋板を合成樹脂から成形すると同時に、該蓋板に絞り弁レバーのアイドル位置と全開位置を規制する停止部材を一体に形成し、さらに停止部材と一体に遠隔操作ケーブルの保持部を形成する。このため、蓋板に上方へ突出する第１，第２の柱を設け、第１の柱に絞り弁レバーのアイドル位置を規制する停止ボルトを螺合支持し、第２の柱に絞り弁レバーの全開位置を規制する停止面を備え、第２の柱部材の段付円筒部に内方から金属製の段付補強筒体を抜けないように嵌合する。段付補強筒体へ遠隔操作ケーブルの保持金具を螺合支持し、保持金具に螺合したロツクナツトを段付補強筒体の小径の外端面へ締結する。これにより、絞り弁の全開時、絞り弁レバーが停止部材を兼ねる段付補強筒体に与える力は、アウタチユーブが保持金具に与える力と釣り合い、第２の柱の破損を防止する。
【０００７】
【実施例】
図１に示すように、本発明によるロータリ絞り弁式気化器は吸気路９が貫通する気化器本体３０の前後両端にフランジ１４，１５が一体に形成され、フランジ１４，１５に設けた左右１対のボルト挿通孔１４ａ，１５ａを貫通する２本の通しボルトにより、フランジ１４が断熱管を介して機関の吸気口に結合され、フランジ１５に空気清浄器が結合される。気化器本体３０の下面に膜１６を挟んで分割体１７を結合し、膜１６の上側に２行程機関のクランク室の脈動圧を導入する作動室を形成し、膜１６の下側にポンプ室を形成して膜型燃料ポンプが構成される。
【０００８】
分割体１７の下面に膜１８を挟んで分割体１９とカバー板２０を複数のボルト２１により結合し、膜１８の上側に定圧燃料室を形成し、膜１８の下側に大気孔１９ａを有する大気室を形成し、膜１８に吸込弁と吐出弁を形成して定圧燃料供給機構２５が構成される。環状のカバー板２０により半球形の弾性スポイド２２の周縁部を支持し、吸込弁と吐出弁をカバー板２０に配設して、吸引ポンプ２６が構成される。
【０００９】
スポイド２２を繰返し押し潰すと、図示してない燃料槽の燃料が入口２３から膜１６に形成される吸込弁を経て前述した燃料ポンプのポンプ室へ吸引され、さらに吐出弁、自動開閉式流入弁を経て定圧燃料室へ供給される。定圧燃料室の燃料蒸気や過剰の燃料は吸込弁を経て吸引ポンプ２６のスポイド２２の内部へ吸引され、さらに吐出弁を経て燃料槽へ戻される。こうして、機関の始動に備えて燃料が定圧燃料室へ充填される。
【００１０】
定圧燃料室には膜１８の上下変位に応じて傾動するレバーが配設され、定圧燃料室の燃料量が増加するとレバーにより流入弁が閉じられ、逆に定圧燃料室の燃料量が少くなるとレバーにより流入弁が開かれ、常にほぼ定圧・定量の燃料が定圧燃料室に貯留される。
【００１１】
機関が回転すると、定圧燃料室の燃料は燃料ジエツト、逆止弁を経て燃料ノズルの噴孔から、吸気路９へ臨む絞り弁の絞り孔へ吸引される。絞り弁は吸気路９と直交する上下方向の円筒部へ嵌挿され、絞り弁の上端軸部は前記円筒部を閉鎖する蓋板１０を貫通し、絞り弁レバー３を結合される。蓋板１０は２本のボルト１２により気化器本体３０へ固定される。絞り弁レバー３はボス部４を絞り弁の上端軸部に嵌合固定され、一端にスイベル５を回転可能に支持され、他端に扇形のカム板６を形成される。カム板６は下面に周方向に沿つて傾斜するカム面を、蓋板１０から上方へ突出する柱に支持したボールからなるフオロア３１（図２）へ戻しばねの力により付勢係合される。絞り弁の軸部から燃料ノズルの噴孔の開度を加減する針弁が突出される。
【００１２】
絞り弁レバー３を反時計方向へ図１に示すほぼ全開位置まで回動すると、吸気路９に対する絞り弁の絞り孔の開度が最大になり、同時に絞り弁と一緒に針弁が上昇し、燃料ノズルの噴孔の開度も大きくなるので、吸気量と燃料量が増加し、機関の出力が増大する。このような構成は従来のロータリ絞り弁式気化器と同様であり、本発明の要旨には直接関係しないのでこれ以上説明しない。
【００１３】
図２，３に示すように、本発明によれば蓋板１０と一体に絞り弁の操作機構が構成される。すなわち、蓋板１０の中心部分に絞り弁の弁軸を支持する軸孔３２ａを有するボス部３２が形成され、蓋板１０の下面に気化器本体３０に対する位置決め用の円弧状の突条２８が形成される。蓋板１０の上面にはボルト１２を挿通する２つのボルト挿通孔１２ａが設けられ、ボス部３２の後方に隣接してフオロア３１が配設される。蓋板１０の前方部分には互いに対向する第１の柱２と中空の第２の柱７とが一体に形成される。第１の柱２には蓋板１０の縁部から上方へ突出しかつ傾斜した上面を有する２つの補強リブ１０ａが結合される。柱２のねじ孔２ａ（図３）に絞り弁レバー３のアイドル位置を規制する停止ボルト２ｂが螺合される。
【００１４】
下方へ開放される内空部３８を有する第２の柱７は、柱２と対向して絞り弁レバー３の全開位置を規制する停止面３４を備えており、該停止面３４はインナケーブルを引き出すための切欠３５を備えられる。柱７の下端部には蓋板１０から上方へ突出しかつ傾斜した上面を有する補強リブ７ａが結合される。
【００１５】
柱７の内空部３８と交差する水平な段付円筒部３６へ金属製の段付補強筒体３７が内空部３８から嵌合される。段付補強筒体３７の外端側の小径部分が段付円筒部３６の小径部分３６ａへ嵌合され、筒状の保持金具８は外端側の大径円筒部８ｂにアウタチユーブを嵌合固定される。小径円筒部８ａからインナケーブルが切欠３５を経て柱２のほうへ引き出される。保持金具８は段付補強筒体３７へ螺合され、保持金具８の外周壁に螺合したロツクナツト３９が段付補強筒体３７の小径の外端面へ押し付けられる。これにより、柱７の壁部が段付補強筒体３７とロツクナツト３９との間に挟持される。
【００１６】
補強リブ７ａはインナケーブルの引出し方向へ延び、ボス部３２と部分的に交差し、絞り弁レバー３の全開位置でインナケーブルの引出し方向と絞り弁レバー３の長手方向とがほぼ直交するように構成されるのが好ましい。柱２に螺合される停止ボルト２ｂの向きは、インナケーブルの引出し方向とは一致しない。
【００１７】
本発明によれば、絞り弁レバー３の全開位置では絞り弁レバー３の引き方向とインナケーブルの保持金具８からの引出し方向とが一致し、かつスイベル５が第２の柱７の停止面３４に直接当るので、インナケーブルに無理がない。
【００１８】
絞り弁レバー３の回動を阻止する第２の柱７はインナケーブルと平行に延びる補強リブ７ａにより変形を抑えられ、保持金具８の支持部に緩みが生じたり、インナケーブルとアウタケーブルとの相対位置が変化することがない。
【００１９】
絞り弁レバー３の全開位置を規制する停止面３４とアウタチユーブの保持金具８とを、蓋板１０の第２の柱７に一体的に構成したことにより、インナケーブルの引き操作により絞り弁レバー３が全開位置で停止面３４に与える力は、アウタチユーブが保持金具８に与える反力と釣り合い、第２の柱７が押し倒されるような荷重負担が軽減される。
【００２０】
【発明の効果】
本発明は上述のように、気化器本体の吸気路と直交する上下方向の円筒部に、絞り弁を回動可能かつ昇降可能に嵌挿し、絞り弁の上端の軸部を前記円筒部を閉鎖する蓋板に貫通支持し、前記軸部の上端に結合した絞り弁レバーの一端に、遠隔操作ケーブルのインナケーブルを結合するスイベルを支持し、絞り弁レバーの他端と前記蓋板との間に燃料量を加減するカム機構を備えたロータリ絞り弁式気化器において、前記蓋板の一側縁に前記絞り弁レバーのアイドル位置を規制する停止ボルトを螺合する第１の柱を、前記蓋板の他側縁に遠隔操作ケーブルを固定するための第２の柱をそれぞれ一体に形成し、第２の柱に設けた水平な段付円筒部に金属製の段付補強筒体を嵌合し、該段付補強筒体に遠隔操作ケーブルのアウタチユーブを嵌合保持する保持金具を螺合し、保持金具に螺合したロツクナツトを第２の柱の壁部を挟むように前記段付補強筒体の小径の外端面に当接させたから、次のような効果が得られる。
【００２１】
合成樹脂製の蓋板と一体に絞り弁レバーの回動範囲を規制する停止部材と遠隔操作ケーブルの保持金具の支持部とを形成したことにより、保持金具の支持部の荷重負担が軽減され、従来の構造よりも軽量になり、部品点数、加工工数、組立工数などが削減され、製造経費が節減される。
【００２２】
保持金具に螺合したロツクナツトが段付補強筒体の小径の外端面へ当接されているので、インナケーブルの引き操作により絞り弁レバーが全開位置で停止面に与える力は、アウタチユーブが保持金具に与える反力と釣り合い、第２の柱が倒されるような荷重負担が軽減される。
【００２３】
遠隔操作ケーブルの保持金具を、蓋板の第２の柱に嵌合支持した段付補強筒体に螺合するとともに、ロツクナツトにより締結するものであり、段付補強筒体を蓋板の内部へ埋め込むものではないから、段付補強筒体の取付構造が簡単であり、合成樹脂によるインサート成形を要しない点でも加工が容易である。
【００２４】
絞り弁レバーが全開位置で停止部材に当る時、インナケーブルの引出し方向と絞り弁レバーの引き方向が一致するから、絞り弁は単純な回転力を受けるだけで、絞り弁が全体として引き倒されるような力を受けることはなく、したがつて、気化器本体の円筒部と該円筒部に嵌挿される絞り弁との摺動部に偏摩耗が生じることもない。
【図面の簡単な説明】
【図１】本発明に係るロータリ絞り弁式気化器の斜視図である。
【図２】同気化器の蓋板の平面図である。
【図３】図２の線３Ａ−３Ａによる同気化器の蓋板の正面断面図である。
【符号の説明】
２：第１の柱  ２ａ：ねじ孔  ３：絞り弁レバー  ４：ボス部  ５：スイベル  ６：カム板  ７：第２の柱  ７ａ：補強リブ  ８：保持金具  ９：吸気路  １０：蓋板  １０ａ：補強リブ  １４，１５：フランジ  １４ａ，１５ａ：ボルト挿通孔  １６：膜  １７：分割体  １８：膜  １９：分割体  １９ａ：大気孔  ２０：カバー板  ２２：スポイド  ２３：入口  ２５：定圧燃料供給機構  ２６：吸引ポンプ  ２８：突条  ３０：気化器本体  ３１：フオロア  ３２：ボス部  ３２ａ：軸孔  ３４：停止面  ３５：切欠  ３６：段付円筒部  ３７：段付補強筒体  ３８：内空部  ３９：ロツクナツト
【図１】
0003934227.tif 000002
【図２】
0003934227.tif 000003
【図３】
0003934227.tif 000004